(57)【要約】      （修正有）【課題】薬の服用の有無を知らしめるための作業が簡単で、しかも薬の服用の有無を視認しやすい服薬確認カードを提供する。【解決手段】服薬確認カード１Ａは、服薬日付や服薬経過日数などの予め定められた期間内における１日単位での服薬時期を表示する複数の服薬時期表示部１１と、服薬時期のそれぞれに対応して設けられ、朝、昼、夜などの１日における異なる時間帯での服薬タイミングを表示する複数の服薬タイミング表示部１２と、を備える。各服薬タイミング表示部１２は、カード本体１０に連続的に繋がる接続部１３と、カード本体１０から切り離し可能な切り離し部１４とにより区画される。対応する切り離し部１４がカード本体１０から切り離されることで、接続部１３を折り曲げ基端としてカード本体の表側又は裏側へ折り曲げ可能とされる。折り曲げられた服薬タイミング表示部１２が位置していた箇所に開口が形成される。【選択図】図１
0003222675.tif 000002
【実用新案登録請求の範囲】
【請求項１】
少なくともカード本体の表面に薬の服用に関する所定事項が印刷された服薬確認カードであって、
服薬日付や服薬経過日数などの予め定められた期間内における１日単位での服薬時期を表示する複数の服薬時期表示部と、
前記服薬時期のそれぞれに対応して設けられ、朝、昼、夕などの１日における異なる時間帯での服薬タイミングを表示する複数の服薬タイミング表示部と、を備え、
前記各服薬タイミング表示部は、前記カード本体に連続的に繋がる接続部と、前記カード本体から切り離し可能な切り離し部とにより区画され、対応する切り離し部が前記カード本体から切り離されることで、前記接続部を折り曲げ基端として前記カード本体の表側又は裏側へ折り曲げ可能とされ、折り曲げられた服薬タイミング表示部が位置していた箇所に開口が形成されることを特徴とする服薬確認カード。
【請求項２】
前記各服薬タイミング表示部は、前記カード本体においてマトリックス状に配置され、形成された前記開口の少なくとも一部の端縁には、該開口内へ突出する凸部が形成され、前記服薬タイミング表示部は、マトリックスの直上に位置する服薬タイミング表示部が表側又は裏側へ折り曲げられているとき、その直上の開口へ向けて折り曲げられることで、その開口に位置する凸部により係止され、凸部により係止された服薬タイミング表示部は、折り曲げ状態が維持されるように構成されている請求項１に記載の服薬確認カード。
【請求項３】
前記カード本体の、最上欄に位置する服薬タイミング表示部の上部には、下向きに凸となるように前記カード本体から切り離し可能な舌片が形成され、それら最上欄に位置する服薬タイミング表示部が前記カード本体の表側又は裏側へ折り曲げられることで、前記上部に位置する舌片と係止可能とされ、舌片により係止された服薬タイミング表示部は、折り曲げ状態が維持されるように構成されている請求項２に記載の服薬確認カード。
【請求項４】
少なくともカード本体の表面に薬の服用に関する所定事項が印刷された服薬確認カードであって、
服薬日付や服薬経過日数などの予め定められた期間内における１日単位での服薬時期を表示する複数の服薬時期表示部と、
前記服薬時期のそれぞれに対応して設けられ、朝、昼、夕などの１日における異なる時間帯での服薬タイミングを表示する複数の服薬タイミング表示部と、を備え、
前記各服薬タイミング表示部は、前記カード本体から切り離し可能な切り離し部により区画され、対応する切り離し部が前記カード本体から切り離されることで、切り離された服薬タイミング表示部が位置していた箇所に開口が形成されることを特徴とする服薬確認カード。
【請求項５】
前記カード本体の上部又は下部には、所定事項を告知するための印刷スペースが形成されている請求項１又は４に記載の服薬確認カード。
【考案の詳細な説明】
【技術分野】
【０００１】
本考案は、服薬確認カードに関する。
【背景技術】
【０００２】
静電吸着という既存の技術を利用して、二つのチェックシートを積層したタイプの薬の服用確認表が知られている（下記特許文献１参照）。
【先行技術文献】
【特許文献】
【０００３】
【特許文献１】実用新案登録第３１８５２６３号公報
【考案の概要】
【考案が解決しようとする課題】
【０００４】
上記特許文献１に記載された薬の服用確認表によれば、二つのチェックシートを薬の服用者本人と保護者がそれぞれ管理することで、薬の服用の２重チェックが可能となる。しかしながら、上記特許文献１に記載された薬の服用確認表において、チェックシートのチェック用空欄には薬の服用者本人がペン等の筆記具で服用の有無を記入する必要があり、その記入の仕方によっては服用の有無を視認しにくい場合がある。また、筆記具による記入の作業を面倒と感じる服用者もいる。
【０００５】
本考案は、上記課題に対処するためになされたものであり、その目的は、薬の服用の有無を知らしめるための作業が簡単で、しかも薬の服用の有無を視認しやすい服薬確認カードを提供することにある。
【課題を解決するための手段及び考案の効果】
【０００６】
本考案の第一の服薬確認カードは、少なくともカード本体の表面に薬の服用に関する所定事項が印刷された服薬確認カードであって、
服薬日付や服薬経過日数などの予め定められた期間内における１日単位での服薬時期を表示する複数の服薬時期表示部と、服薬時期のそれぞれに対応して設けられ、朝、昼、夜などの１日における異なる時間帯での服薬タイミングを表示する複数の服薬タイミング表示部と、を備え、各服薬タイミング表示部は、カード本体に連続的に繋がる接続部と、カード本体から切り離し可能な切り離し部とにより区画され、対応する切り離し部がカード本体から切り離されることで、接続部を折り曲げ基端としてカード本体の表側又は裏側へ折り曲げ可能とされ、折り曲げられた服薬タイミング表示部が位置していた箇所に開口が形成される。
また、本考案の第二の服薬確認カードは、少なくともカード本体の表面に薬の服用に関する所定事項が印刷された服薬確認カードであって、
服薬日付や服薬経過日数などの予め定められた期間内における１日単位での服薬時期を表示する複数の服薬時期表示部と、服薬時期のそれぞれに対応して設けられ、朝、昼、夜などの１日における異なる時間帯での服薬タイミングを表示する複数の服薬タイミング表示部と、を備え、各服薬タイミング表示部は、カード本体から切り離し可能な切り離し部により区画され、対応する切り離し部がカード本体から切り離されることで、切り離された服薬タイミング表示部が位置していた箇所に開口が形成されることを特徴とする。
【０００７】
本考案の服薬確認カードでは、各服薬タイミング表示部が、カード本体の表側又は裏側へ折り曲げ可能、あるいはカード本体から離脱可能とされている。これらの作業は筆記具を用いることなく、各服薬タイミング表示部をカード本体の表側又は裏側へ押し込むだけでよいため、その作業が簡単である。また、各服薬タイミング表示部が折り曲げられ、あるいは離脱すると、その部位に開口が生じたことが一目で分かり、視認性がよい。
【図面の簡単な説明】
【０００８】
【図１】本考案の実施例１に係る服薬確認カードを示す正面図。
【図２】図１の服薬確認カードの使用状態の一例を示す説明図。
【図３】図２の服薬確認カードの背面図。
【図４】本考案の実施例２に係る服薬確認カードを示す正面図。
【図５】図４の服薬確認カードの使用状態の一例を示す説明図。
【考案を実施するための形態】
【０００９】
以下、本考案の実施の形態について、図面を用いて説明する。
【００１０】
服薬確認カード１Ａは、図１に示すように、薬の服用の有無を薬の服用者本人、及び保護者が一目で視認することが可能なものであり、カード本体１０の表面には、薬の服用に関する所定事項が印刷されている。カード本体１０の中央部には、服薬時期表示部１１と服薬タイミング表示部１２とが設けられている。カード本体１０の下部には、所定事項、例えばスポンサーによる宣伝広告のための印刷スペースＳが形成されている。
【００１１】
服薬時期表示部１１は、服薬経過日数などの予め定められた期間内における１日単位での複数の服薬時期を表示する。図１では、１週間の場合を例示している。なお、服薬経過日数は、図１の態様に限らず、例えば２週間分としてもよい。また、服薬経過日数に代えて、例えば１か月単位の服薬日付を表示するものとしてもよい。
【００１２】
服薬タイミング表示部１２は、服薬時期表示部１１の服薬時期のそれぞれに対応して設けられ、１日における異なる時間帯での複数の服薬タイミングを表示する。図１では、朝、昼、夕、就寝前の１日４回の場合を例示している。なお、服薬タイミングの回数は、図１の態様に限らず、例えば朝、夕の２回や朝、昼、夕の３回などに適宜変更可能である。
【００１３】
各服薬タイミング表示部１２は、図１及び図２に示すように、カード本体１０においてマトリックス状に配置されている。各服薬タイミング表示部１２は、カード本体１０に連続的に繋がる接続部１３と、カード本体１０から切り離し可能な切り離し部１４（例えばミシン目）とにより区画されている。
【００１４】
各切り離し部１４は、全体が略Ｕの字状に形成されたミシン目状の切り取り線であり、Ｕの字の先端同士を結ぶ直線状の部位が接続部１３に相当する。各服薬タイミング表示部１２は、図２に示すように、対応する切り離し部１４がカード本体１０から切り離されることで、接続部１３を折り曲げ基端としてカード本体１０の表側又は裏側へ折り曲げ可能とされている。服薬タイミング表示部１２が折り曲げられると、服薬タイミング表示部１２が位置していた箇所に開口１５が形成される。なお、図２は、服薬の１日目の朝、昼、就寝前と、服薬の２日目の朝に相当する服薬タイミング表示部１２が折り曲げられた場合を例示している。
【００１５】
服薬タイミング表示部１２が折り曲げられて、服薬タイミング表示部１２が位置していた箇所に開口１５が形成されると、形成された開口１５の対向する端縁同士には、互いに接近するように開口１５内へ突出する一対の凸部１６が形成される。各凸部１６は、マトリックスの直下に位置する服薬タイミング表示部１２と係止可能とされている。
【００１６】
具体的には、例えば１日目の朝に相当する服薬タイミング表示部１２は、２日目の朝に相当する服薬タイミング表示部１２との位置関係において、マトリックスの直上に位置する関係にある。
【００１７】
このため、１日目の朝に相当する服薬タイミング表示部１２がカード本体１０の表側又は裏側へ折り曲げられているとき、２日目の朝に相当する服薬タイミング表示部１２がその直上の開口１５へ向けて折り曲げられることで、その開口１５内に位置する各凸部１６により係止される。各凸部１６により係止された服薬タイミング表示部１２は、折り曲げ状態が維持されることとなる。
【００１８】
カード本体１０の、最上欄に位置する服薬タイミング表示部１２の上部には、下向きに凸となるようにカード本体から切り離し可能な舌片１７が形成されている。最上欄に位置する服薬タイミング表示部１２がカード本体１０の表側又は裏側へ折り曲げられると、その折り曲げられた服薬タイミング表示部１２は、舌片１７により係止される。舌片１７により係止された服薬タイミング表示部１２は、折り曲げ状態が維持されることとなる。
【００１９】
なお、上記実施例１では、凸部１６が一対設けられる態様について説明したが、例えば開口１５の対向する端縁のうちの少なくとも一方のみに設けてもよい。あるいは、凸部１６を省略し、服薬タイミング表示部１２をカード本体１０の表側又は裏側へ単に折り曲げるだけの構成としてもよい。同様に、舌片１７を省略してもよい。
【００２０】
上記実施例１の服薬確認カード１Ａでは、各服薬タイミング表示部１２が、対応する切り離し部１４がカード本体１０から切り離されることで、接続部１３を折り曲げ基端としてカード本体１０の表側又は裏側へ折り曲げ可能とされていた。そして、服薬タイミング表示部１２が折り曲げられると、服薬タイミング表示部１２が位置していた箇所に開口１５が形成されるように構成されていた。ただし、本考案の服薬確認カードは、服薬確認カード１Ａに限らず、例えば図４及び図５に示すような服薬確認カード１Ｂとしてもよい。以下の説明では、実施例１の服薬確認カード１Ａと同じ部材、同じ機能を果たす部位には同じ符号を付して詳細な説明を省略する。
【００２１】
実施例２に係る服薬確認カード１Ｂでは、各服薬タイミング表示部１２がカード本体１０から切り離し可能な切り離し部１４により区画され、対応する切り離し部１４がカード本体１０から切り離し可能とされている。すなわち、服薬タイミング表示部１２が切り離し部１４を境にカード本体１０から押し抜かれる。この実施例２においても、切り離された服薬タイミング表示部１２が位置していた箇所に開口１５が形成される。
【００２２】
上記実施例１，２において、印刷スペースＳは、カード本体１０の下部に形成されていたが、これに加えて又は代えて、例えばカード本体１０の上部に形成されるようにしてもよい。また、印刷スペースＳを省略してもよい。
【００２３】
その他、本考案は上記実施例１、２及びその変形例に限らず、その趣旨を逸脱しない範囲において種々の変更を加えた態様で実施することが可能である。
【符号の説明】
【００２４】
１Ａ，１Ｂ  服薬確認カード
１０  カード本体
１１  服薬時期表示部
１２  服薬タイミング表示部
１３  接続部
１４  切り離し部
１５  開口
１６  凸部
１７  舌片
【図１】
0003222675.tif 000003
【図２】
0003222675.tif 000004
【図３】
0003222675.tif 000005
【図４】
0003222675.tif 000006
【図５】
0003222675.tif 000007